(57)【要約】      （修正有）【課題】常に所定の位置に被保持物等を保持させやすい工夫がなされた、面ファスナセット及び面ファスナを用いた保持具セットを提供する。【解決手段】多数のフックＦが基材３１の表面に形成されると共に基材３１の裏面に粘着層３２を有する複数の雄部材３と、フックＦに係合する多数のループＬが基材５１の表面に形成されると共に基材５１の裏面に粘着層５２を有する雌部材用シートと、を備え、複数の雄部材３それぞれは、基材３１の表面に異なる意匠が施されたものであり、雌部材用シートは、雄部材３の意匠と対応する意匠それぞれが基材５１の表面に所定間隔をあけて施され、対応する意匠が施された部位毎に切断して雌部材５として使用されるものであり、雄部材３と、対応する意匠が施された雌部材５とが面ファスナ８として使用されるもの。【選択図】図３
0003223563.tif 000002
【実用新案登録請求の範囲】
【請求項１】
多数のフックが基材の表面に形成されると共に該基材の裏面に粘着層を有する複数の雄部材と、
前記フックに係合する多数のループが基材の表面に形成されると共に該基材の裏面に粘着層を有する雌部材用シートと、を備え、
複数の前記雄部材それぞれは、前記基材の表面に異なる意匠が施されたものであり、
前記雌部材用シートは、前記雄部材の意匠と対応する意匠それぞれが前記基材の表面に所定間隔をあけて施され、該対応する意匠が施された部位毎に切断して雌部材として使用されるものであり、
前記雄部材と、対応する意匠が施された前記雌部材とが面ファスナとして使用されるものであることを特徴とする面ファスナセット。
【請求項２】
多数のフックが基材の表面に形成されると共に該基材の裏面に粘着層を有する雄部材と、該フックに係合する多数のループが基材の表面に形成されると共に該基材の裏面に粘着層を有する雌部材と、からなる面ファスナを複数備え、
複数の前記面ファスナそれぞれは、前記雄部材における前記基材の表面と、前記雌部材における前記基材の表面とに、対応する意匠が施され、該意匠が、該面ファスナ毎に異なるものであることを特徴とする面ファスナセット。
【請求項３】
多数のフックが基材の表面に形成されると共に該基材の裏面に粘着層を有する雄部材と、該フックに係合する多数のループが基材の表面に形成されると共に該基材の裏面に粘着層を有する雌部材と、該雄部材の該粘着層又は該雌部材の該粘着層に、裏面が取り付けられた保持部材と、からなる保持具を複数備え、
複数の前記保持具それぞれは、前記雄部材における前記基材の表面又は前記雌部材における前記基材の表面と、前記保持部材の表面とに、対応する意匠が施され、該意匠が、該保持具毎に異なるものであることを特徴とする面ファスナを用いた保持具セット。
【考案の詳細な説明】
【技術分野】
【０００１】
本考案は、複数の面ファスナからなる面ファスナセット、及び面ファスナを用いた複数の保持具からなる保持具セットに関する。
【背景技術】
【０００２】
本出願人は、多数のフックが基材の表面に形成されると共に裏面に粘着層を有する複数の雄部材と、多数のループが基材の表面に形成されると共に裏面に粘着層を有する雌部材用シートとを備え、雌部材用シートを切断して雌部材として使用される面ファスナセットを提案している（特許文献１）。この特許文献１には、雄部材と、雌部材と、雌部材の粘着層が裏面に貼り付けられた保持部材とからなる保持具も記載されている。
【０００３】
特許文献１に記載された面ファスナは、例えば雄部材を壁面等に貼り付けるととともに、雌部材用シートを切断した雌部材を、保持させるもの（被保持物）、例えば、ティッシュボックス等の箱物日用品、リモコン、ブラシ等に貼り付ける。そして、雄部材のフックに雌部材のループを係合させることにより、壁面等に被保持物を保持させることができる。また、保持具は、雄部材と、雌部材と、雌部材が貼り付けられた保持部材、例えばキーホルダーとを備えており、雄部材のフックに雌部材のループを係合させることにより、鍵を取り付けたキーホルダーを壁面等に保持させることができる。
【０００４】
特許文献１に記載された面ファスナによれば、樹脂製、紙製、金属製等のように面ファスナーの雄部材又は雌部材に係合させることができない被保持物も、壁面等に保持させることができる。また、特許文献１に記載された保持具によれば、樹脂製のキーホルダー等の保持具を、壁面等に保持させることができる。
【先行技術文献】
【特許文献】
【０００５】
【特許文献１】実用新案登録第３２１０４８５号公報
【考案の概要】
【考案が解決しようとする課題】
【０００６】
ここで、特許文献１に記載された、面ファスナや保持具を複数使用する場合において、常に所定の位置に被保持物等を保持させて整頓したい、といった要望がある。被保持物等を１つだけ取り外し再び取り付ける場合はよいが、被保持物等が複数取り外されていると、被保持物等を取り付ける際に所定の位置が分かりにくく、所定の位置に被保持物等を保持させることができない場合がある。
【０００７】
本考案は前記事情に鑑み、常に所定の位置に被保持物等を保持させやすい工夫がなされた、面ファスナセット及び面ファスナを用いた保持具セットを提供することを目的とする。
【課題を解決するための手段】
【０００８】
前記目的を解決する本考案の第１の面ファスナセットは、多数のフックが基材の表面に形成されると共に該基材の裏面に粘着層を有する複数の雄部材と、
前記フックに係合する多数のループが基材の表面に形成されると共に該基材の裏面に粘着層を有する雌部材用シートと、を備え、
複数の前記雄部材それぞれは、前記基材の表面に異なる意匠が施されたものであり、
前記雌部材用シートは、前記雄部材の意匠と対応する意匠それぞれが前記基材の表面に所定間隔をあけて施され、該対応する意匠が施された部位毎に切断して雌部材として使用されるものであり、
前記雄部材と、対応する意匠が施された前記雌部材とが面ファスナとして使用されるものであることを特徴とする。
【０００９】
本出願において、対応する意匠とは、同一の文字、記号、数字、色、形状からなる意匠であってもよいし、観念的に関連するデザインや形状等の意匠（例えば、猫と魚、蝶と花等）であってもよい。また、前記第１の面ファスナセットでは、前記雄部材を壁面等に貼り付け、前記雌部材を被保持物に貼り付けてもよいし、該雄部材を該保持物に貼り付け、該雌部材を壁面等に貼り付けてもよい。
【００１０】
本考案の第１の面ファスナセットは、前記雄部材と、対応する意匠が施された前記雌部材とが面ファスナとして使用される。このため、壁面等に複数貼り付けられた、例えば前記雄部材のうち複数の該雄部材から被保持物が取り外されている場合であっても、対応する意匠が施された、該雄部材と該雌部材とを取り付けることで、所定の位置に被保持物を保持させることができる。
【００１１】
前記目的を解決する本考案の第２の面ファスナセットは、多数のフックが基材の表面に形成されると共に該基材の裏面に粘着層を有する雄部材と、該フックに係合する多数のループが基材の表面に形成されると共に該基材の裏面に粘着層を有する雌部材と、からなる面ファスナを複数備え、
複数の前記面ファスナそれぞれは、前記雄部材における前記基材の表面と、前記雌部材における前記基材の表面とに、対応する意匠が施され、該意匠が、該面ファスナ毎に異なるものであることを特徴とする。
【００１２】
ここで、前記第２の面ファスナセットにおいても、前記雄部材を壁面等に貼り付け、前記雌部材を被保持物に貼り付けてもよいし、該雄部材を該保持物に貼り付け、該雌部材を壁面等に貼り付けてもよい。
【００１３】
本考案の第２の面ファスナセットは、複数の前記面ファスナそれぞれは、前記雄部材における前記基材の表面と、前記雌部材における前記基材の表面とに、対応する意匠が施されている。このため、壁面等に複数貼り付けられた前記雄部材のうち複数の該雄部材から被保持物が取り外されている場合であっても、対応する意匠が施された、該雄部材と該雌部材とを取り付けることで、所定の位置に被保持物を保持させることができる。
【００１４】
前記目的を解決する本考案の保持具セットは、多数のフックが基材の表面に形成されると共に該基材の裏面に粘着層を有する雄部材と、該フックに係合する多数のループが基材の表面に形成されると共に該基材の裏面に粘着層を有する雌部材と、該雄部材の該粘着層又は該雌部材の該粘着層に、裏面が取り付けられた保持部材と、からなる保持具を複数備え、
複数の前記保持具それぞれは、前記雄部材における前記基材の表面又は前記雌部材における前記基材の表面と、前記保持部材の表面とに、対応する意匠が施され、該意匠が、該保持具毎に異なるものであることを特徴とする。
【００１５】
本考案の保持具セットは、複数の前記保持具それぞれは、前記雄部材における前記基材の表面又は前記雌部材における前記基材の表面と、前記保持部材の表面とに、対応する意匠が施され、該意匠が、該保持具毎に異なるものである。このため、壁面等に複数貼り付けられた前記雄部材又は前記雌部材から前記保持具が複数取り外されている場合であっても、該保持具と対応する意匠が施された、該雄部材又は該雌部材に取り付けることで、所定の位置に該保持具を保持させることができる。
【考案の効果】
【００１６】
本考案の面ファスナセット及び面ファスナを用いた保持具セットによれば、常に所定の位置に被保持物等を保持させやすい工夫がなされた、面ファスナセット及び面ファスナを用いた保持具セットを提供することができる。
【図面の簡単な説明】
【００１７】
【図１】（ａ）は、本考案の第１の面ファスナセットを示す正面図であり、（ｂ）は、本考案の第２の面ファスナセットを示す正面図である。
【図２】図１（ａ）に示す、数字の１が施された雄部材と、雌部材用シートを切断して形成された、数字の１が施された雌部材の斜視図である。
【図３】図２に示す面ファスナの使用態様を説明するための図である。
【図４】（ａ）は、図１（ａ）に示す第１の面ファスナセットの第１変形例を示す図であり、（ｂ）は、図１（ａ）に示す第１の面ファスナセットの第２変形例を示す図である。
【図５】本考案の保持具セットを示す図である。
【考案を実施するための形態】
【００１８】
以下、図面を参照して本考案の実施の形態を説明する。
【００１９】
図１（ａ）は、本考案の第１の面ファスナセット１１を示す正面図であり、同図（ｂ）は、本考案の第２の面ファスナセット１２を示す正面図である。
【００２０】
図１（ａ）に示すように、第１の面ファスナセット１１は、台紙Ｐに取り付けられた、複数（本実施形態では３つ）の雄部材３と、雌部材用シート４とを備えている。なお、第１の面ファスナセット１１は、透明な包装フィルム（不図示）によって包装されている。なお、後述する第２の面ファスナセット１２（図１（ｂ）参照）や変形例（図４）も、図示は省略するが、同様に包装フィルム（不図示）によって包装されている。
【００２１】
３つの雄部材３の表面（紙面手前側の面）には、それぞれ異なる数字の意匠が施され、これらの数字と同じ数字が、雌部材用シート４の表面に、所定間隔をあけて施されている。雌部材用シート４は、図では破線で示すラインを切断して雌部材５（図２参照）として使用されるものである。すなわち、雌部材用シート４は、数字が施された部位毎に切断されて雌部材５として使用される。
【００２２】
図２は、図１（ａ）に示す、数字の１が施された雄部材３と、雌部材用シート４を切断して形成された、数字の１が施された雌部材５の斜視図である。この雄部材３と雌部材５によって面ファスナ８が構成される。
【００２３】
図２に示すように、雄部材３は、例えばシルク印刷等によって表面（図では左斜め下方を向く面）に数字の１が施された基材３１と、基材３１の裏面（図では右斜め上方を向く面）に設けられた粘着層３２と、粘着層３２に取り付けられた剥離ライナー３３とを備えている。図では簡略化して一部のみを示しているが、基材３１の表面には、微少な鈎状のフックＦが多数形成されている。
【００２４】
雌部材５も、表面に数字の１が施された基材５１と、基材５１の裏面に設けられた粘着層５２と、粘着層５２に取り付けられた剥離ライナー５３とを備えている。図では簡略化して一部のみを示しているが、基材５１の表面には、雄部材３のフックＦと係合する微少なループＬが多数形成されている。
【００２５】
図１（ｂ）に示すように、第２の面ファスナセット１２は、同図（ａ）に示す第１の面ファスナセット１１の雌部材用シート４に代えて、雄部材３の数字（意匠）と同じ数字が表面に施された複数（本実施形態では３つ）の雌部材５を備えている。第２の面ファスナセット１２のそれ以外の構成は、第１の面ファスナセット１１と同じであるためその他の構成の説明は省略する。
【００２６】
図３は、図２に示す面ファスナ８の使用態様を説明するための図である。
【００２７】
剥離ライナー３３（図２参照）を剥がし、図３に示すように、雄部材３の粘着層３２を壁面Ｗに貼り付けるとともに、剥離ライナー５３（図２参照）を剥がし、雌部材５の粘着層５２を、例えばティッシュボックス等の被保持物６に貼り付ける。そして、雄部材３のフックＦに、雌部材５のループＬを係合させて、雄部材３に雌部材５を取り付ければ、被保持物６を壁面Ｗに保持させることができる。この際、複数の雄部材３が壁面Ｗに貼り付けられ、これら複数の雄部材３から被保持物６が取り外されている場合であっても、対応する意匠（例えば、数字の１と数字の１）の雄部材３に雌部材５を取り付ければ、所定の位置に被保持物６を保持させることができる。なお、雄部材３を被保持物６に貼り付け、雌部材５を壁面Ｗに貼り付ける態様ももちろん可能である。
【００２８】
次に、図１〜図３に示す面ファスナセットの変形例について説明する。以下に説明する変形例及びその後に説明する保持具セットにおいては、図１〜図３に示す実施形態との相違点を中心に説明し、図１〜図３に示す実施形態における構成要素の名称と同じ名称の構成要素には、これまで用いた符号を付して説明し、重複する説明は省略することがある。
【００２９】
図４（ａ）は、図１（ａ）に示す第１の面ファスナセットの第１変形例を示す図であり、図４（ｂ）は、図１（ａ）に示す第１の面ファスナセットの第２変形例を示す図である。
【００３０】
図４（ａ）に示す、第１変形例の第１の面ファスナセット１１’には、対応する意匠として同じアルファベットを採用しており、図４（ｂ）に示す、第２変形例の第１の面ファスナセット１１’’には、対応する意匠として同じ図形を採用している。なお、対応する意匠としては、これらに限定されるものではなく、同じ色であってもよいし、後述する保持具セット１３（図５参照）のように、観念的に対応する意匠のデザインや形状（例えば魚と猫等）であってもよい。
【００３１】
図５は、本考案の保持具セットを示す図である。
【００３２】
図５に示すように、保持具セット１３は、複数（本実施形態では２つ）の雄部材３と、複数（本実施形態では２つ）のキーホルダー（保持部材）７とを備えている。なお、保持具セット１３も、台紙Ｐ（図１参照）に取り付けられ、包装フィルムによって包装された状態で販売されるものであるが、図では、台紙Ｐから取り外した状態を示している。また、説明の便宜上、キーホルダー７に鍵を取り付けた状態を示している。
【００３３】
キーホルダー７の裏面（図では裏側の面）には、雌部材５の粘着層５２（図３参照）が貼り付けられている。なお、図では、雌部材５を示すため、キーホルダー７の一部を折り曲げて示している。キーホルダー７の素材は特に限定されるものではなく、例えば、樹脂製の場合には、実際には、図のように折り曲げられない場合がある。雄部材３と、裏面に雌部材５が貼り付けられたキーホルダー７が、本考案にいう保持具９の一例に相当する。すなわち、本実施形態における保持具セット１３は、２つの保持具９を備えたものである。なお、雌部材５に代えて雄部材３をキーホルダー７に貼り付け、雌部材５と、裏面に雄部材３が取り付けられたキーホルダー７を、保持具９として構成してもよい。また、雄部材３と、雌部材５と、キーホルダー７とを別々に台紙Ｐに取り付けてもよい。
【００３４】
本実施形態における一方（図では上側）の保持具９は、雄部材３の表面に魚の意匠が施され、キーホルダー７には、観念的に対応する意匠として、猫のイラスト及び形状からなる意匠が施されている。また、他方（図では下側）の保持具９は、雄部材３の表面に花の意匠が施され、キーホルダー７には、観念的に対応する意匠として、蝶のイラスト及び形状からなる意匠が施されている。
【００３５】
保持具９は、剥離ライナー３３を剥がして雄部材３の粘着層３２（図２参照）を、例えば壁面Ｗ（図３参照）に貼り付け、雄部材３のフックＦに雌部材５のループＬを係合させて、雄部材３に雌部材５を取り付ければ、キーホルダー７を壁面Ｗ等に保持させることができる。この際に壁面Ｗに雄部材３が複数取り付けられ、そのうちキーホルダー７が取り外された雄部材３が複数ある場合であっても、キーホルダー７と対応する意匠（例えば猫に対する魚）が施された雄部材３に取り付けることで、所定の位置にキーホルダー７を保持させることができる。
【００３６】
以上説明した面ファスナセット１１，１２及び保持具セット１３によれば、常に所定の位置に被保持物等を保持させやすくなる。
【００３７】
本考案は前述した実施形態に限られることなく実用新案登録請求の範囲に記載した範囲で種々の変更を行うことができる。例えば、前述した実施形態における面ファスナセット１１，１２では、雄部材３や雌部材５の表面に、数字や記号等を施した例を挙げて説明したが、これら数字等に代えて、或いはこれら数字等と併せて、図５に示す保持具セット１３のように、雄部材３や雌部材５の表面形状を対応させてもよいし、数字や記号等を組み合わせることも可能である。
【００３８】
なお、以上説明した各実施形態や各変形例の記載それぞれにのみ含まれている構成要件であっても、その構成要件を、他の実施形態や他の変形例に適用してもよい。
【符号の説明】
【００３９】
１１，１１’，１１’’  第１の面ファスナセット
１２  第２の面ファスナセット
１３  保持具セット
３  雄部材
３１  基材
３２  粘着層
３３  剥離ライナー
４  雌部材用シート
５  雌部材
５１  基材
５２  粘着層
５３  剥離ライナー
６  被保持物
７  キーホルダー（保持部材）
８  面ファスナ
９  保持具
Ｆ  フック
Ｌ  ループ
Ｐ  台紙
Ｗ  壁面
【図１】
0003223563.tif 000003
【図２】
0003223563.tif 000004
【図３】
0003223563.tif 000005
【図４】
0003223563.tif 000006
【図５】
0003223563.tif 000007